(57)【要約】【課題】  点火に適切な中火力に強制的に設定した後に、点火直前に設定されていた火力に再度復帰することができるガス機器のガス量調整器を提供する。【解決手段】  ガス量調節装置３は、火力調節レバー２と、火力を強制的に切替える火力リセット部２４とを備える。リセットレバー８の下端部には押動レバー７に接離する被押圧部位８１が、上端部にはニードル弁２５に連結された作用腕部７０を押し上げる押し上げ部８５が設けられる。点火直前の火力調節レバー２が弱火力から中火力の範囲内に設定されていた場合、点火動作により、押動レバー７が、リセットレバー８を回動させ、作用腕部７０がニードル弁２５を直接移動させて、中火力に相当する火力にする。その後、点火終了動作により、圧縮バネ７４がニードル弁２５を押し下げるため、点火直前の火力に復帰する。【選択図】  図３
2005315541.tif 000002
【特許請求の範囲】
【請求項１】
手動操作により動作する点火・消火機構と、回動自在に軸支され、バーナの火力を強火力から弱火力まで調節する回動スライド式の火力調節レバーと、前記バーナに供給するガス量を中火力に相当するガス量にリセットする火力リセット部とを備えたガス機器のガス量調節装置において、
前記火力リセット部は、前記点火・消火機構の点火時の動作により、前記バーナに供給するガス量を中火力に相当するガス量にリセットし、
前記点火・消火機構の点火終了時の動作により、前記バーナに供給するガス量を、前記点火・消火機構の点火直前の前記火力調節レバーの火力位置に相当するガス量に復帰させることを特徴とするガス機器のガス量調節装置。
【請求項２】
前記火力リセット部は、前記火力調節レバーが、弱火力位置から中火力位置の範囲内に設定されていた場合に、前記点火・消火機構の点火終了時の動作により、前記バーナに供給するガス量を、前記点火・消火機構の点火直前の前記火力調節レバーの火力位置に相当するガス量に復帰させることを特徴とする請求項１に記載のガス機器のガス量調節装置。
【請求項３】
前記火力リセット部は、前記火力調節レバーが、中火力位置よりも強火力側の範囲内に設定されていた場合には、前記点火・消火機構の点火終了時の動作にかかわらず、前記バーナに供給するガス量を中火力に相当するガス量に保持することを特徴とする請求項１又は２に記載のガス機器のガス量調節装置。
【請求項４】
前記火力リセット部は、第１の火力リセット部と、第２の火力リセット部とから構成され、
前記第１の火力リセット部は、前記火力調節レバーが、中火力位置よりも強火力側の範囲内に設定されていた場合に、前記点火・消火機構の点火時の動作により、前記火力調節レバーを中火力位置にリセットし、
前記第２の火力リセット部は、前記火力調節レバーが、弱火力位置から中火力位置の範囲内に設定されていた場合に、前記点火・消火機構の点火時の動作により、前記バーナに供給するガス量を、前記火力調節レバーの中火力位置に相当するガス量にリセットし、
前記点火・消火機構の点火終了時の動作により、前記バーナに供給するガス量を、前記点火・消火機構の点火直前の前記火力調節レバーの火力位置に相当するガス量に復帰させることを特徴とする請求項１乃至３の何れかに記載のガス機器のガス量調節装置。
【請求項５】
前記バーナにガスを供給するガス供給管路に介設され、前記火力調節レバーの回動操作による管路内の移動により、ガス通路面積を増減してガス量を調節するガス量調節子を備え、
前記第２の火力リセット部は、
支点を中心に回動可能に軸支されたリセット部材と、
当該リセット部に一端部が当接して、他端部が前記ガス量調節子に連結された作用腕部と
から構成され、
前記火力調節レバーが弱火力位置から中火力位置の範囲内に設定されていた場合、前記点火・消火機構の点火時の動作により、前記リセット部材が、前記作用腕部の被当接部位に当接することにより、前記作用腕部を第１の方向に移動させ、さらに前記作用腕部に連結された前記ガス量調節子を、前記第１の方向と平行である第２の方向に移動させることにより、前記バーナに供給されるガス量が、前記火力調節レバーの中火力位置に相当するガス量にリセットされ、
前記点火・消火機構の点火終了時の動作により、前記ガス量調節子が、前記点火・消火機構の点火直前の位置に戻ることにより、前記バーナに供給されるガス量が、前記点火・消火機構の点火直前の前記火力調節レバーの火力位置に相当するガス量に復帰されることを特徴とする請求項４に記載のガス機器のガス量調節装置。
【請求項６】
前記ガス量調節子に装着され、前記ガス量調節子を前記第２の方向とは反対方向に付勢する圧縮バネを備えていることを特徴とする請求項５に記載のガス機器のガス量調節装置。
【請求項７】
前記リセット部材は、一端部に前記点火・消火機構の押圧部位に接離される一の被押圧部位と、他端部に前記作用腕部の前記一端部が当接する一の当接部位とを備え、
前記作用腕部は、前記一端部に前記リセット部材の前記一の当接部位に当接される一の被当接部位と、前記他端部に前記ガス量調節子に連結する連結部とを備え、
前記点火・消火機構の点火時の動作時は、前記点火・消火機構の押圧部位が、前記一の被押圧部位に当接して前記リセット部材を回動動作させ、当該回動動作により前記一の当接部位が、前記一の被当接部位に当接して前記作用腕部を前記第１の方向に移動させ、さらに当該移動により、前記連結部に連結された前記ガス量調節子が、前記ガス供給管路内を第２の方向へ移動することにより、前記ガス供給路のガス通路面積が拡張されて、中火力に相当するガス量が前記バーナに供給され、
前記点火・消火機構の点火終了時の動作時は、前記点火・消火機構の押圧部位が、前記一の被押圧部位より離間し、前記ガス量調節子は、前記圧縮バネによって前記第２の方向とは反対方向に付勢され、前記点火・消火機構の点火直前の位置まで移動することにより、前記ガス供給路のガス通路面積が縮小されて、前記点火・消火機構の点火直前の前記火力調節レバーの火力位置に相当するガス量が前記バーナに供給されることを特徴とする請求項６に記載のガス機器のガス量調節装置。
【発明の詳細な説明】
【技術分野】
【０００１】
本発明はガス機器のガス量調節装置に関し、詳しくは点火時におけるバーナの火力を安全な中火力に設定するガス機器のガス量調節装置に関する。
【背景技術】
【０００２】
最近のテーブルコンロ等のガス機器で、中華料理のように大火力を用いる場合から、煮物のようにとろ火を用いる場合まで多様な料理に対応させるために広い火力調節が可能となっている。このガス機器では、点火時に着火ミスなく確実に着火させるためには、一定以上のガスの供給が必要であり、バーナの火力が中火力以上に設定されている必要があった。しかし、大火力で着火された場合には、使用者によっては予想を越えた炎となって、使用者が驚いてしまうこととなる。
【０００３】
そこで、点火操作に連動して、点火に適切な中火力位置へ強制的に設定するガス量調節機構等が各種提案されている。例えば、点火操作時において火力調節レバーが中火力以外に設定されていると、点火操作に連動して回動する戻しレバーの作用で火力調節レバーは強制的かつ自動的にバーナの火力が中火力となる位置に戻され、円滑で穏やかな安全点火がなされるようにしたガス機器の燃焼調整装置が知られている（例えば、特許文献１参照）。
【特許文献１】特許第３１２８４６６号公報
【発明の開示】
【発明が解決しようとする課題】
【０００４】
しかしながら、特許文献１に記載のガス機器の燃焼調整装置によれば、例えば、利用者が、煮物等の調理でとろ火を使用している最中に一旦消火して、再度煮物調理を再開するような場合、火力調節レバーは中火力位置にリセットされるため、火力調節レバーを、点火前のとろ火位置にわざわざ調整しなければならず、幾分手間であるという問題点があった。また、煮物調理にはとろ火のように微妙な火力加減が必要とされるため、火力が中火力位置にリセットされたことを忘れてしまうと、煮物が中火のまま調理されてしまい、被調理物や鍋が焦げ付いてしまうなどの問題点もあった。
【０００５】
本発明は上記課題を解決するためになされたものであり、点火に適切な中火力に強制的に設定した後に、点火直前に設定されていた火力に再度復帰することができるガス機器のガス量調整器を提供することを目的とする。
【課題を解決するための手段】
【０００６】
上記目的を達成するために、請求項１に係る発明のガス機器のガス量調節装置は、手動操作により動作する点火・消火機構と、回動自在に軸支され、バーナの火力を強火力から弱火力まで調節する回動スライド式の火力調節レバーと、前記バーナに供給するガス量を中火力に相当するガス量にリセットする火力リセット部とを備えたガス機器のガス量調節装置において、前記火力リセット部は、前記点火・消火機構の点火時の動作により、前記バーナに供給するガス量を中火力に相当するガス量にリセットし、前記点火・消火機構の点火終了時の動作により、前記バーナに供給するガス量を、前記点火・消火機構の点火直前の前記火力調節レバーの火力位置に相当するガス量に復帰させることを特徴とする。
【０００７】
また、請求項２に係る発明のガス機器のガス量調節装置は、請求項１に記載の発明の構成に加え、前記火力リセット部は、前記火力調節レバーが、弱火力位置から中火力位置の範囲内に設定されていた場合に、前記点火・消火機構の点火終了時の動作により、前記バーナに供給するガス量を、前記点火・消火機構の点火直前の前記火力調節レバーの火力位置に相当するガス量に復帰させることを特徴とする。
【０００８】
また、請求項３に係る発明のガス機器のガス量調節装置は、請求項１又は２に記載の発明の構成に加え、前記火力リセット部は、前記火力調節レバーが、中火力位置よりも強火力側の範囲内に設定されていた場合には、前記点火・消火機構の点火終了時の動作にかかわらず、前記バーナに供給するガス量を中火力に相当するガス量に保持することを特徴とする。
【０００９】
また、請求項４に係る発明のガス機器のガス量調節装置は、請求項１乃至３の何れかに記載の発明の構成に加え、前記火力リセット部は、第１の火力リセット部と、第２の火力リセット部とから構成され、前記第１の火力リセット部は、前記火力調節レバーが、中火力位置よりも強火力側の範囲内に設定されていた場合に、前記点火・消火機構の点火時の動作により、前記火力調節レバーを中火力位置にリセットし、前記第２の火力リセット部は、前記火力調節レバーが、弱火力位置から中火力位置の範囲内に設定されていた場合に、前記点火・消火機構の点火時の動作により、前記バーナに供給するガス量を、前記火力調節レバーの中火力位置に相当するガス量にリセットし、前記点火・消火機構の点火終了時の動作により、前記バーナに供給するガス量を、前記点火・消火機構の点火直前の前記火力調節レバーの火力位置に相当するガス量に復帰させることを特徴とする。
【００１０】
また、請求項５に係る発明のガス機器のガス量調節装置は、請求項４に記載の発明の構成に加え、前記バーナにガスを供給するガス供給管路に介設され、前記火力調節レバーの回動操作による管路内の移動により、ガス通路面積を増減してガス量を調節するガス量調節子を備え、前記第２の火力リセット部は、支点を中心に回動可能に軸支されたリセット部材と、当該リセット部に一端部が当接して、他端部が前記ガス量調節子に連結された作用腕部とから構成され、前記火力調節レバーが弱火力位置から中火力位置の範囲内に設定されていた場合、前記点火・消火機構の点火時の動作により、前記リセット部材が、前記作用腕部の被当接部位に当接することにより、前記作用腕部を第１の方向に移動させ、さらに前記作用腕部に連結された前記ガス量調節子を、前記第１の方向と平行である第２の方向に移動させることにより、前記バーナに供給されるガス量が、前記火力調節レバーの中火力位置に相当するガス量にリセットされ、前記点火・消火機構の点火終了時の動作により、前記ガス量調節子が、前記点火・消火機構の点火直前の位置に戻ることにより、前記バーナに供給されるガス量が、前記点火・消火機構の点火直前の前記火力調節レバーの火力位置に相当するガス量に復帰されることを特徴とする。
【００１１】
また、請求項６に係る発明のガス機器のガス量調節装置は、請求項５に記載の発明の構成に加え、前記ガス量調節子に装着され、前記ガス量調節子を前記第２の方向とは反対方向に付勢する圧縮バネを備えている。
【００１２】
また、請求項７に係る発明のガス機器のガス量調節装置は、請求項６に記載の発明の構成に加え、前記リセット部材は、一端部に前記点火・消火機構の押圧部位に接離される一の被押圧部位と、他端部に前記作用腕部の前記一端部が当接する一の当接部位とを備え、前記作用腕部は、前記一端部に前記リセット部材の前記一の当接部位に当接される一の被当接部位と、前記他端部に前記ガス量調節子に連結する連結部とを備え、前記点火・消火機構の点火時の動作時は、前記点火・消火機構の押圧部位が、前記一の被押圧部位に当接して前記リセット部材を回動動作させ、当該回動動作により前記一の当接部位が、前記一の被当接部位に当接して前記作用腕部を前記第１の方向に移動させ、さらに当該移動により、前記連結部に連結された前記ガス量調節子が、前記ガス供給管路内を第２の方向へ移動することにより、前記ガス供給路のガス通路面積が拡張されて、中火力に相当するガス量が前記バーナに供給され、前記点火・消火機構の点火終了時の動作時は、前記点火・消火機構の押圧部位が、前記一の被押圧部位より離間し、前記ガス量調節子は、前記圧縮バネによって前記第２の方向とは反対方向に付勢され、前記点火・消火機構の点火直前の位置まで移動することにより、前記ガス供給路のガス通路面積が縮小されて、前記点火・消火機構の点火直前の前記火力調節レバーの火力位置に相当するガス量が前記バーナに供給されることを特徴とする。
【発明の効果】
【００１３】
請求項１に係る発明のガス機器のガス量調節装置では、火力リセット部は、点火・消火機構の点火時の動作により、バーナに供給するガス量を、点火に安全かつ必要な火力である中火力に相当するガス量にリセットする。さらに、点火の手動操作が終了する点火終了時の動作により、バーナに供給するガス量を、点火・消火機構の点火直前における火力調節レバーの火力位置に相当するガス量に復帰させることができる。よって、例えば、調理中に一旦消火し、再度点火して調理を続ける場合等には、再度点火直前の火力位置に自動的に戻すことができるため、再度火力調節レバーを調整し直す手間を省略することができる。
【００１４】
また、請求項２に係る発明のガス機器のガス量調節装置では、請求項１に記載の発明の効果に加え、火力リセット部は、火力調節レバーが、弱火力位置から中火力位置の範囲内に設定されていた場合のみ、点火の手動操作が終了する点火終了時の動作により、バーナに供給するガス量を、点火・消火機構の点火直前における火力調節レバーの火力位置に相当するガス量に復帰させることができる。よって、とろ火（弱火）を使用して調理する場合などにおいて、調理中に一旦消火し、再度点火して調理を続ける時には、再度点火直前のとろ火（弱火）位置に自動的に戻すことができるため、鍋や被調理物が焦げ付くのを防止することができる。また、とろ火（弱火）のような微妙な火力加減を、再度設定し直さなくても、自動的に点火直前のとろ火（弱火）位置に戻るため、調理の中断による過加熱を防止することができる。
【００１５】
また、請求項３に係る発明のガス機器のガス量調節装置では、請求項１又は２に記載の発明の効果に加え、火力リセット部は、火力調節レバーが、中火力位置よりも強火力側の範囲内に設定されていた場合は、点火・消火機構の点火終了時の動作にかかわらず、中火力に相当するガス量にリセットされた状態を保持することができる。これは、中火力よりも強い火力を必要とする加熱調理の場合に、自動的に点火直前の強い火力位置に相当するガス量に戻ってしまい、バーナの火力が自動的に強くなるのを避けることができる。よって、再点火時に使用者の手で改めて火力調整させる機会を設けることにより、安全に強火力を使用した加熱調理をすることができる。
【００１６】
また、請求項４に係る発明のガス機器のガス量調節装置では、請求項１乃至３の何れかに記載の発明の効果に加え、火力リセット部を、中火力に相当するガス量にリセットするだけの第１の火力リセット部と、中火力に相当するガス量にリセット後、再度点火直前のガス量に復帰させる第２の火力リセット部とで構成し、各リセット部で作用を分担させることで、点火直前の火力調節レバーの設定位置によって、バーナに供給するガス量の調整を効率的におこなわせることができる。
【００１７】
また、請求項５に係る発明のガス機器のガス量調節装置では、請求項４に記載の発明の効果に加え、第２の火力リセット部を、リセット部材と、ガス量調節子に連結された作用腕部とで構成した。そして、点火・消火機構の点火時の動作により、リセット部材が支点を中心に回動し、リセット部材が作用腕部の被当接部位に当接して、作用腕部を第１の方向に移動させることにより、ガス量調節子を第１の方向と平行な第２の方向へ移動させる。よって、ガス量調節子によって調節されるガス量を、火力調節レバーの中火力位置に相当するガス量に簡単にリセットすることができる。さらに、点火・消火機構の点火終了時の動作により、ガス量調節子は、点火直前の位置に戻るので、点火直前に設定されていた火力調節レバーの火力位置に相当するガス量に復帰させることができる。
【００１８】
また、請求項６に係る発明のガス機器のガス量調節装置は、請求項５に記載の発明の効果に加え、圧縮バネは、ガス量調節子を第２の方向とは反対の方向に付勢する。よって、点火・消火機構の点火終了時の動作により、ガス量調節子を第２の方向に向かって、点火直前の位置まで自動的に移動させることができるので、点火直前に設定されていた火力調節レバーの火力位置に相当するガス量に復帰させることができる。
【００１９】
また、請求項７に係る発明のガス機器のガス量調節装置は、請求項６に記載の発明の効果に加え、点火・消火機構の押圧部位が、リセット部材の一の被押圧部位に押圧されると、リセット部材が回動して、リセット部材の一の当接部位が、作用腕部の一の被当接部位に当接する構成としたため、点火・消火機構の点火時の動作によって、ガス量調節子を簡単に調節することができる。また、作用腕部は、連結部によってガス量調節子に直接連結されているため、作用腕部を第１の方向に移動させるだけで、ガス量調節子を第２の方向へ移動させることができ、バーナに供給するガス量を、点火時に簡単にリセットすることができる。
【発明を実施するための最良の形態】
【００２０】
以下、本発明の一実施の形態であるガス量調節装置３について、図面に基づいて説明する。図１は、テーブルコンロ６０の斜視図であり、図２は、ガス量調節装置３の右側面図（消火時：中火力位置）であり、図３は、ガス量調節装置３の左側面図（消火時：中火力位置）であり、図４は、火力調節機構３００近傍の右側から見た斜視図であり、図５は、火力調節機構３００近傍の左側から見た斜視図であり、図６は、ニードル部２２近傍を後方から見た図である。なお、本発明の一実施の形態であるガス量調節装置３は、ガス機器であるテーブルコンロ６０の内部に装着されるものであり、点火・消火機構１００の点火時におけるバーナ６２ａ，６２ｂの火力を、安全な中火力にリセットした後、再度点火直前に設定されていた火力に復帰できる機能を備えたものである。なお、以下の説明において、図２の左側（図３の右側）をガス量調節装置３の前方（正面）とし、図２の右側（図３の左側）をガス量調節装置３の後方（背面）とする。
【００２１】
はじめに、テーブルコンロ６０について説明する。図１に示すように、略直方体形状のテーブルコンロ６０の天面には、左右一対のバーナ６２ａ、６２ｂが設けられ、前面にはバーナ点火・消火操作用の操作ボタン６ａ，６ｂが設けられている。そして、それら操作ボタン６ａ，６ｂの各上方には、スライド回動操作によって火力を調節する火力調節つまみ１ａ、１ｂ（以下、火力調節つまみ１とよぶ）が各々設けられている。そして、操作ボタン６ａ又は６ｂを押圧することにより、バーナ６２ａ又は６２ｂ（以下、バーナ６２とよぶ）が点火され、再度押すことにより消火される。また、テーブルコンロ６０の内部の略中央には、魚などの被調理物を加熱調理するためのグリル（図示外）が配設されている。そして、テーブルコンロ６０の操作ボタン６ａ，６ｂ（以下、操作ボタン６とよぶ）の後方には、本実施形態であるガス量調節装置３（図２参照）が各々配設されている。
【００２２】
次に、ガス量調節装置３の概略構造について説明する。図２および図３に示すように、ガス量調節装置３は、操作ボタン６の押圧操作により、バーナ６２の点火・消火をおこなう点火・消火機構１００と、バーナ６２に供給されるガス量の増減をおこなうガス量増減機構２００と、当該ガス量増減機構２００のガス量の増減の調節をおこない、バーナ６２の火力調節をおこなう火力調節機構３００とで構成されている。さらに、ガス量調節装置３は、点火・消火機構１００の点火時の動作で、バーナ６２の火力を、点火に必要かつ安全な火力である中火力にリセットし、点火終了時の動作で、点火直前に設定されていた火力に再度復帰させる火力リセット部２４を備えている。
【００２３】
まず、点火・消火機構１００について説明する。図２および図３に示すように、点火・消火機構１００は、ガス量調節装置３の下部に配設され、ガス量調節装置３の前後方向に対して平行に延設された略円筒状のバルブボディ５を本体として備えている。そして、点火・消火機構１００のバルブボディ５には、その前方側から後方側に向かって、操作ボタン６の押圧操作によって、支軸７ｂを支点として回動（図２の右方向、図３の左方向）する押動レバー７と、当該押動レバー７の先端部に設けられた押圧部位７ａと、押動レバー７の押圧操作により、バルブボディ５のガス流路内を進退し、ガス流路内に嵌挿されたスピンドル１６と、当該スピンドル１６を後方に押す摺動部材１０と、スピンドル１６を前方へ付勢する戻しバネ１７と、スピンドル１６に固着され、操作ボタン６による点火操作により吐出口１８へのガス流路を開閉するメイン弁１９と、同じく点火操作により押動されてガス流路を開き、燃焼時に熱起電力によって開弁状態に保持されるマグネット式安全弁２０とが設けられている。さらに、バルブボディ５のマグネット式安全弁２０の下部近傍には、バルブボディ５のガス流路内にガスが流入するガス流入口２１が下方に向かって開口されている。さらに、バルブボディ５のメイン弁１９の下流側近傍には、ガスが吐出する吐出口１８が、上方に向かって開口されている。そして、その吐出口１８には、ガス量増減機構２００のガス供給管１２が接続されている。
【００２４】
一方、バルブボディ５の前面側には、バルブボディ５の軸線と平行な軸線を有する略円筒状のケーシング１１が設けられ、そのケーシング１１の内側には、摺動部材１０がプッシュバネ１３を介して嵌め込まれている。さらに、摺動部材１０の下部には点火時と消火時とで交互に摺動部材１０の進退位置を決定するプッシュプッシュ機構１４が設けられている。このプッシュプッシュ機構１４は、点火操作における操作ボタン６の押圧を開放するとメイン弁１９を開弁したまま、マグネット式安全弁２０を閉弁可能状態とする位置まで後退して摺動部材１０を係止する（燃焼位置）。また、消火操作における操作ボタン６の押圧を開放すると摺動部材１０の係止を解除し、所定ストロークだけ図２の左方向（図３も右方向）にスピンドル１６を戻してメイン弁１９を閉弁させる（消火位置）。そして、プッシュプッシュ機構１４のの後方には、摺動部材１０の進退と連動してＯＮ／ＯＦＦする点火スイッチ１５が設けられている。
【００２５】
なお、この点火・消火機構１００において、「点火時の動作」とは、操作ボタン６を押圧する動作をいい、「点火終了時の動作」とは、点火動作における操作ボタン６の押圧が開放される動作をいう。
【００２６】
次に、ガス量増減機構２００について説明する。図２および図３に示すように、ガス量増減機構２００は、点火・消火機構１００と、火力調節機構３００との間に設けられている。そして、ガス量増減機構２００は、火力調節つまみ１のスライド回動動作に連動して、バーナ６２に挿通するガス流路の開閉をおこなう略直方体状のニードル部２２と、当該ニードル部２２の上流側（下端部）に接続され、ニードル部２２にガスを供給するガス供給管１２とで構成されている。よって、点火・消火機構１００と、ガス量増減機構２００とは、一本のガス供給管１２で互いに上下に連結されている。
【００２７】
ここで、ニードル部２２について説明する。図３に示すように、ニードル部２２の内側には、上下方向に延設された管路である弁摺動部２３と、ニードル部２２の後方側側面の略中央部から弁摺動部２３の長手方向に直交して導通する管路であるガス吐出部２８とが設けられている。そして、弁摺動部２３の内側には、ガス流路の開閉をおこなう略棒状のニードル弁２５が摺動自在に挿入され、その下方に延びる先端側は漸次細くなっている。また、ニードル弁２５の先端部には、ガス流量の最小流量を確保するための弁穴２５ａ，２５ｂが設けられている。そして、ニードル弁２５の軸線方向上端部は、ニードル部２２の弁摺動部２３の上端の開口部から突出して露出され、その突出するニードル弁２５の上端部近傍には、略棒状のニードルピン２６の一端部が、ニードル弁２５の軸線方向に対して直交して連結されている。さらに、ニードルピン２６の該一端部とは反対の他端部側は、ガス量調節装置３の後方側に向かって延設されている。そして、このニードルピン２６が、火力調節レバー２の回動動作によって操作されることにより、ニードル弁２５が、ニードル部２２の弁摺動部２３内を摺動して移動する。なお、ニードル弁２５の外周面には、グリスが塗布されている。
【００２８】
このように、ニードル弁２５がニードル部２２内を移動することにより、ガス供給管１２からガス吐出部２８へ流れるガスの通路面積が調節され、ニードル弁２５の弁開度が調節される。そして、バーナ６２に供給されるガス量が調節される。なお、ニードル部２２の弁開閉動作については後述する。また、図２および図３に示すニードル弁２５が、「ガス量調節子」に相当する。
【００２９】
次に、火力調節機構３００について説明する。図２および図３に示すように、火力調節機構３００は、ガス量調節装置３の上部に配設され、ガス量増減機構２００の上部に固定されている。そして、火力調節機構３００は、スライド回動動作によって、火力調節をおこなう火力調節レバー２と、当該火力調節レバー２を回動可能に軸支するとともに、火力調節機構３００をガス量増減機構２００の上部に固定するための略コの字型形状のブラケット４０と、当該ブラケット４０の上面に覆設された固定板４１とから構成されている。
【００３０】
ここで、火力調節レバー２について説明する。図４および図５に示すように、火力調節レバー２は、固定板４１の上壁面に形成された支点部４２を支点に回動自在に軸支された略板状のレバー基板４３と、当該レバー基板４３の前方端部から略垂直下方に折り返された正面視略長方形状の段部４４を介して、前方に延設された平面視略長方形状の前方延設部４５と、当該前方延設部４５の前方端部に、スプリングジョイント４７を介して連結された平面視略短冊状のレバー本体４８とから構成されている。さらに、レバー本体４８の先端部には、上述した火力調整つまみ１（図２、図３参照）が固定される。よって、図１に示すテーブルコンロ６０の外側に露出された火力調整つまみ１を手動操作することにより、図２および図３に示す火力調節レバー２を操作することができる。
【００３１】
一方、図６に示すように、レバー基板４３の後方端部には、略垂直下方に延設された２本の突起部材からなるフォーク状部４９が設けられ、そのフォーク状部４９の、２本の突起部材の隙間には、その延設方向に沿って設けられた切り込み溝４９ａが形成されている。そして、この切り込み溝４９ａの内側には、ニードル弁２５のニードルピン２６の先端部が係合している。さらに、ニードルピン２６の先端部は、この切り込み溝４９ａに沿って上下に往復移動するようになっている。
【００３２】
また、図４に示すように、前方延設部４５の右側端部（図４の右側）には、先端が漸次細くなった平面視略台形状の荷受部位５０が、ガス量調節装置３の右側に向かって略水平に延設されている。さらに、図６に示すように、ブラケット４０の上壁面の後端には、略垂直下方に折り返されて延設されたスリット板５２が形成され、そのスリット板５２の略中央には、正面視略逆三角形状の溝である傾斜スリット５２ａが形成されている。また、傾斜スリット５２ａの下部近傍は開放され、その傾斜スリット５２ａの、ガス量調節装置３を背面から見た右側には、右斜め上方に傾斜する斜辺５３が形成されている。そして、このような傾斜スリット５２ａの内側には、フォーク状部４９の切り込み溝４９ａの内側に係合して、後方に突出するニードルピン２６の先端部が挿通している。なお、傾斜スリット５２ａは、ニードルピン２６のカム溝として作用する。
【００３３】
次に、ニードル弁２５の弁開閉動作について説明する。図３に示すように、火力調節つまみ１のスライド回動操作により、火力調節レバー２が、支点部４２を中心に回動する。このとき、図６に示すように、火力調節レバー２の、レバー基板４３から延設されたフォーク状部４９は、ニードルピン２６の先端部を、切り込み溝４９ａの内側に挟持しながら一方向（図６の右方向又は左方向）へ移動させる。すると、ニードルピン２６の先端部は、フォーク状部４９の動作によって、支点部４２を中心に回動する。このとき、ニードルピン２６の先端部は、傾斜スリット５２ａの縁に沿って摺動する。そして、例えば、火力調節レバー２が、弱火力側から強火力側に設定される場合、ニードルピン２６は、フォーク状部４９によって、傾斜スリット５２ａの斜辺５３を上る方向（図６の右側）に移動する。すると、ニードルピン２６は、その斜辺５３によって上方に徐々にせり上がるため、ニードルピン２６に連結されたニードル弁２５は、ニードル部２２の弁摺動部２３の上部に向かって回転しながら移動する。すると、図３に示すニードル部２２では、弁開度が広く調節されるため（図９参照）、ニードル部２２のガス吐出部２８から吐出されるガス量が増加し、図１に示すバーナ６２の火力が強火力に設定される。
【００３４】
一方、それとは逆に、火力調節レバー２が、強火力側から弱火力側に設定される場合、図６に示すように、ニードルピン２６は、フォーク状部４９によって、傾斜スリット５２ａの斜辺５３を下る方向（図６の左側）に移動させられる。この時、ニードルピン２６の先端部は、その斜辺５３を下方に移動するため、ニードルピン２６に連結されたニードル弁２５は、ニードル部２２における弁摺動部２３の下部に向かって回転しながら移動する。すると、図３に示すニードル部２２においては、弁開度が狭く調節されるため（図１３参照）、ニードル部２２のガス吐出部２８から吐出されるガス量が減少し、図１に示すバーナ６２の火力が弱火力に設定される。
【００３５】
このように、傾斜スリット５２ａでは、ニードルピン２６の回動量が、ニードル弁２５の軸線方向の移動量に変換されることにより、ニードル部２２におけるニードル弁２５の弁開度の調節がおこなわれる。そして、図３に示すように、ニードル弁２５の弁開度が調節されることにより、ガス供給管１２から、ガス吐出部２８に抜けるガス通路面積が増減する。したがって、火力調節機構３００の火力調節レバー２の調節によって、図１に示すバーナ６２に供給されるガス量を自由に調節することができる。なお、上記構成からなるニードル部２２において、弁摺動部２３におけるニードル弁２５の位置が、最上位置にある場合に最大開度となり、最低位置にある場合に最小開度となる。また、ニードル弁２５が最低位置にあり、ニードル部２２における弁開度が完全に閉塞された場合でも、ニードル弁２５の弁穴２５ａ，２５ｂをガスが通過することにより、最小のガス流路が確保されるため、バーナ６２が消火してしまうのを防止している。
【００３６】
次に、本発明の要部である火力リセット部２４について説明する。図４および図５に示すように、火力リセット部２４は、第１の火力リセット部２４ａと、第２の火力リセット部２４ｂとで構成されている。そして、第１の火力リセット部２４ａは、火力リセット部２４の正面に対して右側に配設され、第２の火力リセット部２４ｂは左側に配設される。そして、第１の火力リセット部２４ａおよび第２の火力リセット部２４ｂは、リセットレバー８をリセット部本体として互いに共有している。リセットレバー８は略コの字型の金具であり、ガス量調節装置３の前後方向に対して、やや傾斜して延設されている。さらに、リセットレバー８の、略コの字型金具の内側面は下方に向けられ、その前方端部には、ガス量調節装置３の正面手前に向かって下方に傾斜して延設され（図２および図３参照）、押動レバー７の押圧部位７ａが接離する略短冊状の被押圧部位８１が設けられている。さらに、図５に示すように、リセットレバー８の左側面の後方側端部から後方に向かって延設され、その先端部が外側に向かって略直角に折り返された押し上げ部８５が設けられている。また、略コの字型のリセットレバー８の上壁面の前後方向に直交する両端部から下方に延設された左右の各両側面には、ニードル部２２前面側の外側面に略水平に取り付けられた略棒状の支持部材３０に軸支されるための貫通孔８３，８３が各々設けられている。そして、上記構成からなるリセットレバー８が、支持部材３０によって軸支され、ガス量調節装置３の前後方向に対して回動可能となる。なお、図５に示す押し上げ部８５が、「一の当接部位」に相当する。
【００３７】
次に、第１の火力リセット部２４ａについて説明する。図４に示すように、第１の火力リセット部２４ａは、リセット部本体としてのリセットレバー８と、当該リセットレバー８の上壁面の右端部近傍にリベット９ａで固定された略板状のリセットレバー９とから構成されている。そして、リセットレバー９の後方右側角部には、該角部より、リセットレバー９の上壁面に対して、やや斜め上方に延設された爪片９１が設けられている。さらに、この爪片９１の前方には、火力調節レバー２の前方延設部４５から延設された荷受部位５０が対向する。そして、例えば、リセットレバー９が、リセットレバー８の回動動作に伴って、支持部材３０を中心に反時計回りに回動すると、リセットレバー９の爪片９１が、火力調節レバー２の前方延設部４５から延設された荷受部位５０に当接して前方に押圧するようになっている。そして、上記構成からなる第１の火力リセット部２４ａは、点火直前の火力調節レバー２が中火力位置よりも強火力側の範囲内に設定されていた場合に、点火・消火機構１００の点火時の動作に連動して、火力調節レバー２を中火力位置にリセットする。なお、第１の火力リセット部２４ａの動作については後述する。
【００３８】
次に、第２の火力リセット部２４ｂについて説明する。図５に示すように、第２の火力リセット部２４ｂは、リセット部本体としてのリセットレバー８と、当該リセットレバー８の押し上げ部８５に一端部が当接され、他端部がニードル弁２５の上端部に連結する平面視略短冊状の作用腕部７０と、ニードル弁２５の上端部に装着され、レバー基板４３の裏面に当接しつつ、ニードル弁２５を下方に向かって付勢する圧縮バネ７４とで構成されている。
【００３９】
ここで、作用腕部７０について説明する。図５に示すように、作用腕部７０の長手方向一端部側には、略コの字型のカバー部７３が、その一端部を覆うように固定されている。そして、カバー部７３の裏面には、リセットレバー８の押し上げ部８５が当接する。よって、リセットレバー８の回動動作により、押し上げ部８５が斜め上方に回動すると、押し上げ部８５が、カバー部７３を斜め上方に押し上げるため、その結果、作用腕部７０全体が上方に押し上げられるようになっている。なお、図５に示すカバー部７３が、「一の被当接部位」に相当する。
【００４０】
一方、作用腕部７０の、カバー部７３が固定された一端部とは反対の他端部には、平面視略リング形状のリング係合部７１が設けられている。そして、そのリング係合部７１の穴部（図示外）に、ニードル弁２５が、自身の外周面にやや隙間を空けて挿入されている。さらに、リング係合部７１は、ニードル弁２５の外周面からやや突出するニードルピン２６の後端部であるピン頭部２６ａと、ニードル部２２の弁摺動部２３の上端部との間に挟まれた状態となっている。なお、図５に示すリング係合部７１が、「連結部」に相当する。
【００４１】
また、図５に示すように、圧縮バネ７４の上端部は、火力調節レバー２のレバー基板４３の裏面に当接し、反対の下端部は、ニードル弁２５の上端部近傍に形成された係合段部２５ｃに係合している。よって、圧縮バネ７４は、ニードル弁２５の弁開度を縮小する方向（下方）に向かって、ニードル弁２５を常時付勢している。
【００４２】
そして、図５に示すように、このような第２の火力リセット部２４ｂにおいて、リセットレバー８が、支持部材３０を中心に時計回り方向に回動すると、リセットレバー８の押し上げ部８５が、作用腕部７０のカバー部７３に当接して、作用腕部７０を上方に押し上げる。すると、作用腕部７０のリング係合部７１の縁に、ニードルピン２６のピン頭部２６ａが引っ掛かるため、ニードルピン２６に連結されたニードル弁２５が上方に押し上げられる。なお、ニードル弁２５が上方に押し上げられる移動距離は、ニードル部２２におけるガス通路面積が中火力に相当する面積となるように調節されている。よって、第２の火力リセット部２４ｂは、第１の火力リセット部２４ａと機構が異なり、リセットレバー８の回動動作によって、直接ニードル弁２５を移動させて調節することにより、バーナ６２の火力を中火力にリセットする。そして、第２の火力リセット部２４ｂは、点火直前の火力調節レバー２が、弱火力位置から中火力位置の範囲内で設定されていた場合に動作し、点火の動作時に中火力に設定し、設定点火終了の動作時に中火力から再度点火直前の火力に復帰させる。なお、第２の火力リセット部２４ａの動作については後述する。また、図５に示す作用腕部７０が上方へ移動する方向が、「第１の方向」に相当し、ニードルピン２５が上方へ移動する方向が、「第２の方向」に相当する。
【００４３】
次に、上記構成からなるガス量調節装置３の動作について説明する。図７は、火力調節機構３００の平面図（中火力位置）であり、図８は、火力調節機構３００の平面図（強火力位置）であり、図９は、ガス量調節装置３の左側面図（強火力位置）であり、図１０は、点火時のガス量調節装置３の左側面図であり、図１１は、点火終了時のガス量調節装置３の左側面図であり、図１２は、火力調節機構３００の平面図（弱火力位置）であり、図１３は、ガス量調節装置３の左側面図（弱火力位置）である。なお、以下の説明において、図９、１０、１１および１３の右側をガス量調節装置３の前方（正面）とし、左側をガス量調節装置３の後方（背面）とする。
【００４４】
図７に示すように、ガス量調節装置３では、火力調節つまみ１を手動で回動させることにより、図１に示すバーナ６２を任意の火力に設定することができる。そして、正面視、火力調節レバー２が正面に対向する位置に向けられると、「中火力」となるように火力が調節される。また、右方向（図７では上方向）に向けられると、「強火力」となるように火力が調節される。左方向（図７では下方向）に向けられると、「弱火力」となるように火力が調節される。そして、点火直前の火力調節レバー２が、中火力位置よりも強火力側の範囲内に設定されていた場合は、第１の火力リセット部２４ａが動作し、弱火力位置から中火力位置の範囲内に設定されていた場合は、第２の火力リセット部２４ｂが動作する。以下、各場合におけるガス量調節装置３の動作について順次説明する。
【００４５】
まず、点火直前の火力調節レバー２が、強火力位置におかれた場合の動作について、図８乃至図１１を参照して説明する。図８に示すように、火力調節レバー２が強火力位置におかれると、そのスライド回動動作によって、レバー基板４３の荷受部位５０は後方に移動する。その結果、荷受部位５０は、リセットレバー９の爪片９１に当接して、爪片９１を後方に押圧する。これにより、図９に示すように、左側面視、リセットレバー９が固定されたリセットレバー８は、支持部材３０を中心に反時計回り方向に回動する。そして、リセットレバー８の被押圧部位８１は、図３の中火力位置の状態よりもやや高い位置に（図９では右斜め上方向）に移動する。また、図８に示すレバー基板４３の荷受部位５０の回動に伴い、図６に示す火力調節レバー２のフォーク状部４９が、ニードルピン２６をガス量調節装置３の左側（図６の右側）に移動させる。すると、ニードルピン２６が、傾斜スリット５２ａの斜辺５３上を摺動して上方にせり上がり、ニードルピン２６に連結されたニードル弁２５が回転しながら、弁摺動部２３内を上方に移動する。こうして、ニードル部２２におけるニードル弁２５の弁開度が拡大する。
【００４６】
そして、図１０に示すように、点火・消火機構１００の点火操作時では、操作ボタン６がマグネット式安全弁２０の全開位置まで押しつけられる。これにより、左側面視、押動レバー７が支軸７ｂを中心に反時計周り方向に回転する。さらに、押動レバー７の押圧部位７ａが、リセットレバー８の被押圧部位８１に当接し、図３に示すデフォルト位置まで押し下げる。そして、この押動レバー７の押圧動作に伴い、リセットレバー８は、支持部材３０を中心に時計回り方向に回動する。さらに、このリセットレバー８の回動動作に伴い、図８に示すリセットレバー９の爪片９１は、火力調節レバー２の荷受部位５０を前方（図８では右方向）に押圧することにより、図７に示す中火力位置まで荷受部位５０を移動させる。よって、図７および図１０に示すように、強火力位置にあった火力調節レバー２を、点火操作時に強制的かつ自動的に中火力位置に戻すことができる。また、火力調節レバー２が中火力位置に戻ることで、図６に示す火力調節レバー２のフォーク状部４９が、ニードルピン２６を傾斜スリット５２ａの中央に移動させるため、ニードルピン２６が斜辺５３を下るとともに、ニードル弁２５が回転しながら弁摺動部２３内を下方に移動する。よって、ニードル部２２の弁開度が中火力に相当する開度まで閉塞され、バーナ６２では中火力で点火されることになる。また、中火力位置に移動されたニードルピン２５のニードルピン２６の先端部は、傾斜スリット５２ａの斜辺５３上に載置されるため、ニードルピン２６がそれより下方に移動せず、ニードル弁２５の位置が中火力の弁開度位置に保持される。
【００４７】
次いで、図１１に示すように、バーナ６２への着火を確認して操作ボタン６から手を離すと、プッシュバネ１３および戻しバネ１７により、押動レバー７が時計回りに回転して戻るが、プッシュプッシュ機構１４における燃焼位置で係止される。したがって、バーナ６２の燃焼状態では、火力調節つまみ１を自由にスライド回動操作でき、火力調節を自由におこなうことができる。
【００４８】
そして、消火操作をおこなうために、図１１の状態の操作ボタン６が再度押されると、押動レバー７が少し反時計方向に回転し、手を離すと、プッシュプッシュ機構１４の係止が解除され、摺動部材１０およびスピンドル１６がプッシュバネ１３および戻しバネ１７により前方（図１１では右方向）に戻る。そして、その付勢力により押動レバー７および操作ボタン６が、図３に示す消火位置でのガス量調節装置３におけるデフォルト位置に戻される。
【００４９】
次に、点火直前の火力調節レバー２が、弱火力位置におかれた場合の動作について、図１０乃至図１３を参照して説明する。図１２および図１３に示すように、火力調節レバー２が弱火力位置におかれると、そのスライド回動操作によって、火力調節レバー２のフォーク状部４９（図１３参照）が、ニードルピン２６をガス量調節装置３の右側（図１２の上側）に移動させる。そして、図１３に示すように、ニードルピン２６が、ガス量調節装置３の右側（図１３の奥行き側）に移動すると、ニードル弁２５が下方に移動する。そして、そのニードル弁２５の移動に伴い、作用腕部７０が下方に移動して、作用腕部７０のカバー部７３が、リセットレバー８の押し上げ部８５を下方に押し下げる。すると、リセットレバー８は、支持部材３０を中心として反時計回り方向に回動する。よって、リセットレバー８の被押圧部位８１は、図３の中火力位置の状態よりもやや高い位置に（図１３では右斜め上方向）に移動する。
【００５０】
そして、図１０に示すように、点火・消火機構１００の点火操作時では、操作ボタン６がマグネット式安全弁２０の全開位置まで押しつけられる。これにより、左側面視、押動レバー７が支軸７ｂを中心に反時計周り方向に回転し、押動レバー７の押圧部位７ａが、リセットレバー８の被押圧部位８１に当接し、図３に示すデフォルト位置まで押し下げる。そして、この押圧動作に伴い、リセットレバー８は、支持部材３０を中心に時計回り方向に回動する。さらに、この回動動作に伴い、リセットレバー８の押し上げ部８５が、作用腕部７０のカバー部７３に当接して、作用腕部７０を上方に押し上げる。すると、作用腕部７０のリング係合部７１の縁に、ニードルピン２６のピン頭部２６ａが引っ掛かるため、ニードルピン２６に連結されたニードル弁２５が上方に押し上げられる。また、ニードル弁２５が上方に押し上げられる移動距離は、ニードル部２２におけるガス通路面積が中火力に相当する面積に調整されているため、バーナ６２では中火力で点火されることになる。
【００５１】
次いで、図１１に示すように、バーナ６２への着火を確認して、操作ボタン６から手を離して点火を終了すると、押動レバー７が時計回りに回転して戻るため、押動レバー７の押圧部位７ａが、リセットレバー８の被押圧部位８１から離間する。すると、リセットレバー８は、押圧部位７ａによって押圧されないので、作用腕部７０を上方に押し上げる押圧力が消失する。そして、ニードル弁２５は、圧縮バネ７４によって下方に付勢されるため、ニードル弁２５は、ニードル部２２内の弁摺動部２３内を、再び点火直前の火力位置に相当する弁開度まで下方に移動する（図１３参照）。この場合、グリスの摺動抵抗と圧縮バネ７４とのバランスにより、ニードル弁２５は緩やかに下方に移動する。また、図６に示すように、点火直前に弱火力位置に設定された場合のニードルピン２６の位置は、傾斜スリット５２ａの右側（図６の左側）に位置する。よって、点火時に、ニードルピン２６が作用腕部７０によって上方に押し上げられ、点火終了時に、圧縮バネ７４によって下方に押し下げられた場合、ニードルピン２６の先端部は、傾斜スリット５２ａの斜辺５３の縁上には載らないため、傾斜スリット５２ａにおける点火直前のニードルピン２６の位置まで下方に移動する。したがって、点火時に中火力にリセットされたバーナ６２の火力を、点火終了時には、点火直前の火力位置に相当する火力に復帰させることができる。
【００５２】
以上説明したように、本実施の形態のガス量調節装置３によれば、点火操作時に操作ボタン６が押されると、それに連動して火力リセット部２４が動作する。火力リセット部２４では、リセットレバー８が回動することにより、第１の火力リセット部２４ａおよび第２の火力リセット部２４ｂが動作する。そして、点火直前の火力調節レバー２が、弱火力位置から中火力位置の範囲内に設定されていた場合は、第２の火力リセット部２４ｂが、バーナ６２に供給するガス量を中火力にリセットした後に、点火直前に設定されていた火力調節レバー２の火力位置に相当するガス量に復帰させる。よって、とろ火（弱火）調理の途中で、バーナ６２を一旦消火し、再度点火させるような場合において、一旦中火力にリセットされても、再度点火直前に設定されていたとろ火（弱火）に復帰させることができるので、再度火力を設定し直す手間を省くことができる。また、とろ火の微妙な火力加減を再度設定し直さなくても、自動的に設定されるので、とろ火調整の火力誤差を最小限にすることができる。さらに、点火直前の火力調節レバー２が、中火力位置よりも強火力側の範囲内に設定されていた場合は、第１の火力リセット部２４ａが、火力調節レバー２を中火力位置に強制的にリセットし、点火直前の火力には戻さず、そのまま中火力位置を保持するため、火力が自動的に強火に戻らず、安全に調理をおこなうことができる。
【００５３】
なお、本発明は、以上詳述した上記実施の形態に限定されるものではなく、各種の変形が可能なことはいうまでもない。
【００５４】
例えば、上記実施の形態では、点火・消火機構１００を操作ボタン６による前後方向の押動操作による構成としたが、点火つまみによる回動操作と連動し、消火時に、火力リセット部２４が動作して火力調節つまみ１を中火力にリセットする構成としてもよい。
【００５５】
例えば、上記の実施形態では、リセットレバー９は、リセットレバー８の上面に固定される構成としたが、リセットレバー８と、リセットレバー９とを一体型に形成してもよい。
【００５６】
なお、上記実施の形態で述べた中火力とは、最大火力と最小火力との間の点火に最適なガス量をいい、必ずしも最大火力と最小火力との平均ガス量を意味しない。
【産業上の利用可能性】
【００５７】
本発明のガス機器のガス量調節装置は、テーブルコンロに限られず、ビルトインコンロ、ガス炊飯器、ガス給湯器、ガスファンヒーターなどの各種のガス機器に適用可能である。
【図面の簡単な説明】
【００５８】
【図１】テーブルコンロ６０の斜視図である。
【図２】ガス量調節装置３の右側面図（消火時：中火力位置）である。
【図３】ガス量調節装置３の左側面図（消火時：中火力位置）である。
【図４】火力調節機構３００近傍の右側から見た斜視図である。
【図５】火力調節機構３００近傍の左側から見た斜視図である。
【図６】ニードル部２２近傍を後方から見た図である。
【図７】火力調節機構３００の平面図（中火力位置）である。
【図８】火力調節機構３００の平面図（強火力位置）である。
【図９】ガス量調節装置３の左側面図（強火力位置）である。
【図１０】点火時のガス量調節装置３の左側面図である。
【図１１】点火終了時のガス量調節装置３の左側面図である。
【図１２】火力調節機構３００の平面図（弱火力位置）である。
【図１３】ガス量調節装置３の左側面図（弱火力位置）である。
【符号の説明】
【００５９】
２    火力調節レバー
３    ガス量調節装置
７ａ  押圧部位
８    リセットレバー
２４    火力リセット部
２４ａ  第１の火力リセット部
２４ｂ  第２の火力リセット部
７０    作用腕部
７１    リング係合部
７３    カバー部
７４    圧縮バネ
８１    被押圧部位
８５    押し上げ部
１００    点火・消火機構
【図１】
2005315541.tif 000003
【図２】
2005315541.tif 000004
【図３】
2005315541.tif 000005
【図４】
2005315541.tif 000006
【図５】
2005315541.tif 000007
【図６】
2005315541.tif 000008
【図７】
2005315541.tif 000009
【図８】
2005315541.tif 000010
【図９】
2005315541.tif 000011
【図１０】
2005315541.tif 000012
【図１１】
2005315541.tif 000013
【図１２】
2005315541.tif 000014
【図１３】
2005315541.tif 000015